【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】オブジェクトが表されているラスタ画像を元画像として、サブピクセル表示を行わせるにあたり、
サブピクセル表示後のオブジェクトの線幅をサブピクセルｊ個分（ｊは自然数）とする場合において、その線を表示するｊ個のサブピクセルを、ｊ個全てのサブピクセルの値を変えることなく、サブピクセルのｋ個分（ｋは自然数）だけ第１の方向に移動させた表示を行うことを特徴とする表示装置。
【請求項２】ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスと、
前記表示デバイスに表示すべき表示画像情報を記憶する表示画像記憶手段と、
前記表示画像記憶手段が記憶する表示画像情報に基づいて、前記表示デバイスに表示を行わせる表示制御手段と、を備え、
今回表示すべきラスタ画像を記憶する元画像データ記憶手段と、
前記元画像データ記憶手段が記憶するラスタ画像に基づいて、注目画素が予め定められた画素値を有する場合にのみ、注目画素を前記第１の方向に３倍拡大した３倍パターンを決定するとともに、当該注目画素に対して前記第１の方向に連なるサブピクセルのパターンを決定するパターン決定手段と、を有し、
前記表示画像記憶手段には、前記パターン決定手段が決定した前記３倍パターン及び前記サブピクセルのパターンに基づく表示画像情報が記憶されると共に、  前記パターン決定手段は、前記元画像データ記憶手段が記憶するラスタ画像において、前記注目画素を取り囲む、合計（（２ｎ＋１）×（２ｍ＋１）−１）（ｎ，ｍは自然数）個の画素からなる参照パターンに従って、当該注目画素を前記第１の方向に３倍拡大した３倍パターンを決定するとともに、当該注目画素に対して一方側に連なるｘ個（ｘは整数）の前記サブピクセルのパターンと、他方側に連なるｙ個（ｙは自然数）の前記サブピクセルのパターンとを決定し、
前記表示制御手段は、１画素を構成する３つの発光素子と、その１画素の一方側に連なる前記ｘ個の発光素子と、他方側に連なる前記ｙ個の発光素子と、に対して、前記３倍パターン及び前記サブピクセルのパターンを割り当てて前記表示デバイスに表示を行わせることを特徴とする表示装置。
【請求項３】ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスと、
前記表示デバイスに表示すべき表示画像情報を記憶する表示画像記憶手段と、
前記表示画像記憶手段が記憶する表示画像情報に基づいて、前記表示デバイスに表示を行わせる表示制御手段と、を備え、
今回表示すべきラスタ画像を記憶する元画像データ記憶手段と、
前記元画像データ記憶手段が記憶するラスタ画像に基づいて、注目画素を前記第１の方向に３倍拡大した３倍パターンを決定するとともに、当該注目画素に対して前記第１の方向に連なるサブピクセルのパターンを決定するパターン決定手段と、
前記パターン決定手段が決定した前記３倍パターンを補正する３倍パターン補正手段と、を有し、
前記表示画像記憶手段には、前記補正後の３倍パターンに基づく表示画像情報が記憶されると共に、
前記パターン決定手段は、前記元画像データ記憶手段が記憶するラスタ画像において、注目画素と、この注目画素を取り囲む、合計（２ｎ＋１）×（２ｍ＋１）（ｎ，ｍは自然数）個の画素からなる矩形の参照パターンに従って、当該注目画素を前記第１の方向に３倍拡大した前記３倍パターンを決定するとともに、当該注目画素に対して一方側に連なるｘ個（ｘは整数）の前記サブピクセルのパターンと、他方側に連なるｙ個（ｙは自然数）の前記サブピクセルのパターンとを決定し、
前記３倍パターン補正手段は、前記注目画素に基づく前記３倍パターンが、他の注目画素に対して前記第１の方向に連なるサブピクセルのパターンと矛盾する場合、当該３倍パターンに対して、その矛盾を取り除くように補正を施し、
前記表示制御手段は、１画素を構成する３つの発光素子に、前記補正後の３倍パターンを割り当てて前記表示デバイスに表示を行わせることを特徴とする表示装置。
【請求項４】ｘ＝１かつｙ＝１である請求項２または３記載の表示装置。
【請求項５】ｎ＝１かつｍ＝１である請求項２から４のいずれかに記載の表示装置。
【請求項６】前記元画像データ記憶手段が記憶するラスタ画像は、ビットマップフォント、ベクトルフォントをラスタ展開したビットマップ画像、あるいは、フォントでないラスタ画像のいずれかであることを特徴とする請求項２から５のいずれかに記載の表示装置。
【請求項７】前記パターン決定手段は、前記３倍パターン及び前記サブピクセルのパターンを決定するパターン決定規則を記憶する参照パターン記憶手段を参照して、前記３倍パターン及び前記サブピクセルのパターンを決定することを特徴とする請求項２から６のいずれかに記載の表示装置。
【請求項８】前記参照パターン記憶手段には、参照パターンのパターンマッチングのための情報が格納されていることを特徴とする請求項７記載の表示装置。
【請求項９】前記参照パターン記憶手段には、参照パターンをビット表現したビット列と、このビット列にかかる前記３倍パターン及び前記サブピクセルのパターンを示す情報とが、対応付けて格納されていることを特徴とする請求項７記載の表示装置。
【請求項１０】前記パターン決定手段は、前記参照パターンに基づく論理演算を行うパターン論理演算手段の演算結果を参照して、前記３倍パターン及び前記サブピクセルのパターンを決定することを特徴とする請求項２から６のいずれかに記載の表示装置。
【請求項１１】オブジェクトが表されているラスタ画像を元画像として、サブピクセル表示を行わせるにあたり、
サブピクセル表示後のオブジェクトの線幅をサブピクセルｊ個分（ｊは自然数）とする場合において、その線を表示するｊ個のサブピクセルを、ｊ個全てのサブピクセルの値を変えることなく、サブピクセルのｋ個分（ｋは自然数）だけ第１の方向に移動させた表示を行うことを特徴とする表示方法。
【請求項１２】ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるにあたり、
今回表示すべきラスタ画像において、注目画素が予め定められた画素値を有する場合にのみ、その注目画素を取り囲む、合計（（２ｎ＋１）×（２ｍ＋１）−１）（ｎ，ｍは自然数）個の画素からなる参照パターンに従って、当該注目画素を前記第１の方向に３倍拡大した３倍パターンを決定するとともに、当該注目画素の一方側に対して前記第１の方向に連なるｘ個（ｘは整数）のサブピクセルのパターンと、当該注目画素の他方側に対して前記第１の方向に連なるｙ個（ｙは自然数）のサブピクセルのパターンとを決定し、
１画素を構成する３つの発光素子と、その１画素の一方側に連なる前記ｘ個の発光素子と、他方側に連なる前記ｙ個の発光素子と、に対して、前記３倍パターン及び前記サブピクセルのパターンを割り当てて前記表示デバイスに表示を行わせることを特徴とする表示方法。
【請求項１３】ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるにあたり、
今回表示すべきラスタ画像において、注目画素と、この注目画素を取り囲む、合計（２ｎ＋１）×（２ｍ＋１）（ｎ，ｍは自然数）個の画素からなる矩形の参照パターンに従って、当該注目画素を前記第１の方向に３倍拡大した前記３倍パターンを決定するとともに、当該注目画素の一方側に対して前記第１の方向に連なるｘ個（ｘは整数）のサブピクセルのパターンと、当該注目画素の他方側に対して前記第１の方向に連なるｙ個（ｙは自然数）のサブピクセルのパターンとを決定し、
前記注目画素に基づく前記３倍パターンが、他の注目画素に対して前記第１の方向に連なるサブピクセルのパターンと矛盾する場合、当該３倍パターンに対して、その矛盾を取り除くように補正を施し、
１画素を構成する３つの発光素子に、前記補正後の３倍パターンを割り当てて前記表示デバイスに表示を行わせることを特徴とする表示方法。
【請求項１４】オブジェクトが表されているラスタ画像を元画像として、サブピクセル表示を行わせるプログラムであって、
サブピクセル表示後のオブジェクトの線幅をサブピクセルｊ個分（ｊは自然数）とする場合において、その線を表示するｊ個のサブピクセルを、ｊ個全てのサブピクセルの値を変えることなく、サブピクセルのｋ個分（ｋは自然数）だけ第１の方向に移動させた表示を行わせる表示制御プログラムを記録した記録媒体。
【請求項１５】ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるプログラムであって、
今回表示すべきラスタ画像において、注目画素が予め定められた画素値を有する場合にのみ、その注目画素を取り囲む、合計（（２ｎ＋１）×（２ｍ＋１）−１）（ｎ，ｍは自然数）個の画素からなる参照パターンに従って、当該注目画素を前記第１の方向に３倍拡大した３倍パターンを決定するとともに、当該注目画素の一方側に対して前記第１の方向に連なるｘ個（ｘは整数）のサブピクセルのパターンと、当該注目画素の他方側に対して前記第１の方向に連なるｙ個（ｙは自然数）のサブピクセルのパターンとを決定し、
１画素を構成する３つの発光素子と、その１画素の一方側に連なる前記ｘ個の発光素子と、他方側に連なる前記ｙ個の発光素子と、に対して、前記３倍パターン及び前記サブピクセルのパターンを割り当てて前記表示デバイスに表示を行わせる表示制御プログラムを記録した記録媒体。
【請求項１６】ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるプログラムであって、
今回表示すべきラスタ画像において、注目画素と、この注目画素を取り囲む、合計（２ｎ＋１）×（２ｍ＋１）（ｎ，ｍは自然数）個の画素からなる矩形の参照パターンに従って、当該注目画素を前記第１の方向に３倍拡大した前記３倍パターンを決定するとともに、当該注目画素の一方側に対して前記第１の方向に連なるｘ個（ｘは整数）のサブピクセルのパターンと、当該注目画素の他方側に対して前記第１の方向に連なるｙ個（ｙは自然数）のサブピクセルのパターンとを決定し、
前記注目画素に基づく前記３倍パターンが、他の注目画素に対して前記第１の方向に連なるサブピクセルのパターンと矛盾する場合、当該３倍パターンに対して、その矛盾を取り除くように補正を施し、
１画素を構成する３つの発光素子に、前記補正後の３倍パターンを割り当てて前記表示デバイスに表示を行わせる表示制御プログラムを記録した記録媒体。
【手続補正２】
【補正対象書類名】明細書
【補正対象項目名】００２７
【補正方法】変更
【補正の内容】
【００２７】
【発明の実施の形態】
第１の発明に係る表示装置では、オブジェクトが表されているラスタ画像を元画像として、サブピクセル表示を行わせるにあたり、サブピクセル表示後のオブジェクトの線幅をサブピクセルｊ個分（ｊは自然数）とする場合において、その線を表示するｊ個のサブピクセルを、ｊ個全てのサブピクセルの値を変えることなく、サブピクセルのｋ個分（ｋは自然数）だけ第１の方向に移動させた表示を行う。
【手続補正３】
【補正対象書類名】明細書
【補正対象項目名】００２９
【補正方法】変更
【補正の内容】
【００２９】
第２の発明に係る表示装置では、ＲＧＢ３原色をそれぞれ発光する３つの発光素子を一定順序で並設して１画素を構成し、この画素を第１の方向に並設して１ラインを構成し、このラインを第１の方向に直交する第２の方向に複数設けて、表示画面を構成する表示デバイスと、表示デバイスに表示すべき表示画像情報を記憶する表示画像記憶手段と、表示画像記憶手段が記憶する表示画像情報に基づいて、表示デバイスに表示を行わせる表示制御手段と、を備える。
【手続補正４】
【補正対象書類名】明細書
【補正対象項目名】００３９
【補正方法】変更
【補正の内容】
【００３９】
第３の発明に係る表示装置では、ＲＧＢ３原色をそれぞれ発光する３つの発光素子を一定順序で並設して１画素を構成し、この画素を第１の方向に並設して１ラインを構成し、このラインを第１の方向に直交する第２の方向に複数設けて、表示画面を構成する表示デバイスと、表示デバイスに表示すべき表示画像情報を記憶する表示画像記憶手段と、表示画像記憶手段が記憶する表示画像情報に基づいて、表示デバイスに表示を行わせる表示制御手段と、を備える。
【手続補正５】
【補正対象書類名】明細書
【補正対象項目名】００５０
【補正方法】変更
【補正の内容】
【００５０】
第４の発明に係る表示装置では、ｘ＝１かつｙ＝１である。
この構成により、ｘ≧２等とする場合に比べて画素の移動幅が小さくなり、表示デバイスに表示されるオブジェクト、例えば、文字等のつぶれを抑制できる。
第５の発明に係る表示装置では、ｘ＝１かつｙ＝１である。
この構成により、注目画素に基づく３倍パターンにおいて、矛盾が生じうるのは、左右のパターンの各々となり、３倍パターン補正手段は、ｘ≧２等とする場合に比べて、シンプルな処理で矛盾を取り除くことができる。
【手続補正６】
【補正対象書類名】明細書
【補正対象項目名】００５１
【補正方法】変更
【補正の内容】
【００５１】
第６の発明に係る表示装置では、ｎ＝１かつｍ＝１である。
この構成により、参照パターンは、３×３の矩形の画素群から注目画素を除いたものとなり、参照パターンが採りうる場合が、２５６通りとなって、シンプルな処理によりサブピクセル表示を実現できる。
【手続補正７】
【補正対象書類名】明細書
【補正対象項目名】００５２
【補正方法】変更
【補正の内容】
【００５２】
第７の発明に係る表示装置では、ｎ＝１かつｍ＝１である。
この構成により、参照パターンが３×３の矩形の画素群であり、参照パターンが採りうる場合が、５１２通りとなって、シンプルな処理によりサブピクセル表示を実現できる。
【手続補正８】
【補正対象書類名】明細書
【補正対象項目名】００５３
【補正方法】変更
【補正の内容】
【００５３】
第８の発明に係る表示装置では、元画像データ記憶手段が記憶するラスタ画像は、ビットマップフォント、ベクトルフォントをラスタ展開したビットマップ画像、あるいは、フォントでないラスタ画像のいずれかである。
この構成により、様々な形式の画像についても、サブピクセル表示できる。
【手続補正９】
【補正対象書類名】明細書
【補正対象項目名】００５４
【補正方法】変更
【補正の内容】
【００５４】
第９の発明に係る表示装置では、パターン決定手段は、３倍パターン及びサブピクセルのパターンを決定するパターン決定規則を記憶する参照パターン記憶手段を参照して、３倍パターン及びサブピクセルのパターンを決定する。
【手続補正１０】
【補正対象書類名】明細書
【補正対象項目名】００５６
【補正方法】変更
【補正の内容】
【００５６】
第１０の発明に係る表示装置では、参照パターン記憶手段には、参照パターンのパターンマッチングのための情報が格納されている。
【手続補正１１】
【補正対象書類名】明細書
【補正対象項目名】００５８
【補正方法】変更
【補正の内容】
【００５８】
第１１の発明に係る表示装置では、参照パターン記憶手段には、参照パターンをビット表現したビット列と、このビット列にかかる３倍パターン及びサブピクセルのパターンを示す情報とが、対応付けて格納されている。
【手続補正１２】
【補正対象書類名】明細書
【補正対象項目名】００６０
【補正方法】変更
【補正の内容】
【００６０】
第１２の発明に係る表示装置では、パターン決定手段は、参照パターンに基づく論理演算を行うパターン論理演算手段の演算結果を参照して、３倍パターン及びサブピクセルのパターンを決定する。
【手続補正１３】
【補正対象書類名】明細書
【補正対象項目名】０３４１
【補正方法】変更
【補正の内容】
【０３４１】
【発明の効果】
第１、１３及び２５の発明では、サブピクセル表示を行うにあたり、元画像のオブジェクトの線幅を単純に拡大あるいは縮小する場合と比べて、より滑らかな表示を実現できる。
【手続補正１４】
【補正対象書類名】明細書
【補正対象項目名】０３４２
【補正方法】変更
【補正の内容】
【０３４２】
第２、１４及び２６の発明では、画素を、画素値を変えずに、サブピクセル１個分の移動幅で、「ｘ」及び「ｙ」の値に応じて、第１の方向に移動させることができる。
【手続補正１５】
【補正対象書類名】明細書
【補正対象項目名】０３４６
【補正方法】変更
【補正の内容】
【０３４６】
第３、１５及び２７の発明では、画素を、画素値を変えずに、サブピクセル１個分の移動幅で、「ｘ」及び「ｙ」の値に応じて、第１の方向に移動させることができる。
【手続補正１６】
【補正対象書類名】明細書
【補正対象項目名】０３５０
【補正方法】変更
【補正の内容】
【０３５０】
第４及び１６の発明では、ｘ≧２等とする場合に比べて画素の移動幅が小さくなり、表示デバイスに表示されるオブジェクト、例えば、文字等のつぶれを抑制できる。
【手続補正１７】
【補正対象書類名】明細書
【補正対象項目名】０３５１
【補正方法】変更
【補正の内容】
【０３５１】
第５及び１７の発明では、注目画素に基づく３倍パターンにおいて、矛盾が生じうるのは、左右のパターンの各々となり、ｘ≧２等とする場合に比べて、シンプルな処理で矛盾を取り除くことができる。
【手続補正１８】
【補正対象書類名】明細書
【補正対象項目名】０３５２
【補正方法】変更
【補正の内容】
【０３５２】
第６及び１８の発明では、参照パターンは、３×３の矩形の画素群から注目画素を除いたものとなり、参照パターンが採りうる場合が、２５６通りとなって、シンプルな処理によりサブピクセル表示を実現できる。
【手続補正１９】
【補正対象書類名】明細書
【補正対象項目名】０３５３
【補正方法】変更
【補正の内容】
【０３５３】
第７及び１９の発明では、参照パターンが３×３の矩形の画素群であり、参照パターンが採りうる場合が、５１２通りとなって、シンプルな処理によりサブピクセル表示を実現できる。
【手続補正２０】
【補正対象書類名】明細書
【補正対象項目名】０３５４
【補正方法】変更
【補正の内容】
【０３５４】
第８及び２０の発明では、様々な形式の画像についても、サブピクセル表示できる。
【手続補正２１】
【補正対象書類名】明細書
【補正対象項目名】０３５５
【補正方法】変更
【補正の内容】
【０３５５】
第９及び２１の発明では、参照パターン記憶手段の参照により、３倍パターン及びサブピクセルのパターンが決定されるため、高速に３倍パターン及びサブピクセルのパターンを求めることができ、表示のレスポンスを良好に保持できる。
【手続補正２２】
【補正対象書類名】明細書
【補正対象項目名】０３５６
【補正方法】変更
【補正の内容】
【０３５６】
第１０及び２２の発明では、パターンマッチングにより３倍パターン及びサブピクセルのパターンを決定できる。
【手続補正２３】
【補正対象書類名】明細書
【補正対象項目名】０３５７
【補正方法】変更
【補正の内容】
【０３５７】
第１１及び２３の発明では、ビット列によって３倍パターン及びサブピクセルのパターンを、高速かつ容易に検索できる。
【手続補正２４】
【補正対象書類名】明細書
【補正対象項目名】０３５８
【補正方法】変更
【補正の内容】
【０３５８】
第１２及び２４の発明では、参照パターンを記憶していなくても、論理演算のみで３倍パターン及びサブピクセルのパターンを決定できるため、記憶領域を節約できる。